【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
下記の成分を含む、低排出ガス高負荷ディーゼルエンジン用の低硫黄、低硫酸灰分及び低リンの潤滑油組成物：
（ａ）主要量の潤滑粘度の油、および
（ｂ）（ｉ）アルキルヒドロキシ芳香族カルボン酸の金属塩とアルキルフェノールの金属塩との混合物、および（ii）マンニッヒ縮合物の金属塩からなる清浄剤組成物。
【請求項２】
（ｂ）の清浄剤組成物において、（ｉ）アルキルヒドロキシ芳香族カルボン酸の金属塩とアルキルフェノールの金属塩の混合物と（ii）マンニッヒ縮合物の金属塩との比が、清浄剤組成物の全質量に基づき８０：２０質量％乃至２０：８０質量％の範囲にある請求項１に記載の潤滑油組成物。
【請求項３】
（ｉ）アルキルヒドロキシ芳香族カルボン酸の金属塩とアルキルフェノールの金属塩の混合物と（ii）マンニッヒ縮合物の金属塩との比が、清浄剤組成物の全質量に基づき７０：３０質量％乃至３０：７０質量％の範囲にある請求項２に記載の潤滑油組成物。
【請求項４】
（ｉ）アルキルヒドロキシ芳香族カルボン酸の金属塩とアルキルフェノールの金属塩の混合物と（ii）マンニッヒ縮合物の金属塩との比が、清浄剤組成物の全質量に基づき５０：５０質量％である請求項３に記載の潤滑油組成物。
【請求項５】
（ｂ）（ｉ）において、アルキルヒドロキシ芳香族カルボン酸の金属塩とアルキルフェノールの金属塩との比が、（ｉ）の全質量に基づき８０：２０質量％乃至２０：８０質量％の範囲にある請求項１に記載の潤滑油組成物。
【請求項６】
（ｂ）（ｉ）において、アルキルヒドロキシ芳香族カルボン酸の金属塩とアルキルフェノールの金属塩との比が、（ｉ）の全質量に基づき６０：４０質量％乃至４０：６０質量％の範囲にある請求項５に記載の潤滑油組成物。
【請求項７】
（ｂ）（ｉ）において、アルキルヒドロキシ芳香族カルボン酸の金属塩とアルキルフェノールの金属塩との比が、（ｉ）の全質量に基づき５０：５０質量％である請求項６に記載の潤滑油組成物。
【請求項８】
清浄剤組成物（ｂ）において、（ｉ）のアルキルヒドロキシ芳香族カルボン酸のアルキル基が、直鎖又は分枝鎖アルキル基またはそれらの混合物である請求項１に記載の潤滑油組成物。
【請求項９】
清浄剤組成物（ｂ）において、（ｉ）のアルキルヒドロキシ芳香族カルボン酸のアルキル基が、直鎖アルキル基と分枝鎖アルキル基の混合物である請求項８に記載の潤滑油組成物。
【請求項１０】
上記混合物におけるアルキルヒドロキシ芳香族カルボン酸の直鎖アルキル基と分枝鎖アルキル基との比が、アルキルヒドロキシ芳香族カルボン酸の全アルキル基に基づき７０：３０乃至３０：７０の範囲にある請求項９に記載の潤滑油組成物。
【請求項１１】
上記混合物におけるアルキルヒドロキシ芳香族カルボン酸の直鎖アルキル基と分枝鎖アルキル基との比が、アルキルヒドロキシ芳香族カルボン酸の全アルキル基に基づき５０：５０である請求項１０に記載の潤滑油組成物。
【請求項１２】
清浄剤組成物（ｂ）において、（ｉ）のアルキルフェノールのアルキル基が、直鎖又は
分枝鎖アルキル基またはそれらの混合物である請求項１に記載の潤滑油組成物。
【請求項１３】
清浄剤組成物（ｂ）において、（ｉ）のアルキルフェノールのアルキル基が、直鎖アルキル基と分枝鎖アルキル基の混合物である請求項１２に記載の潤滑油組成物。
【請求項１４】
上記混合物におけるアルキルフェノールの直鎖アルキル基と分枝鎖アルキル基との比が、アルキルフェノールの全アルキル基に基づき７０：３０乃至３０：７０の範囲にある請求項１３に記載の潤滑油組成物。
【請求項１５】
上記混合物におけるアルキルフェノールの直鎖アルキル基と分枝鎖アルキル基との比が、アルキルフェノールの全アルキル基に基づき５０：５０である請求項１４に記載の潤滑油組成物。
【請求項１６】
清浄剤組成物（ｂ）において、（ｉ）のアルキルヒドロキシ芳香族カルボン酸の分枝鎖アルキル基が、炭素原子数４〜炭素原子数６０である請求項８に記載の潤滑油組成物。
【請求項１７】
アルキルヒドロキシ芳香族カルボン酸の分枝鎖アルキル基が、炭素原子数６〜炭素原子数４０である請求項１６に記載の潤滑油組成物。
【請求項１８】
アルキルヒドロキシ芳香族カルボン酸の分枝鎖アルキル基が、炭素原子数８〜炭素原子数２０である請求項１７に記載の潤滑油組成物。
【請求項１９】
清浄剤組成物（ｂ）において、（ｉ）のアルキルヒドロキシ芳香族カルボン酸の直鎖アルキル基が、炭素原子数４〜炭素原子数６０である請求項８に記載の潤滑油組成物。
【請求項２０】
アルキルヒドロキシ芳香族カルボン酸の直鎖アルキル基が、炭素原子数１２〜炭素原子数４０である請求項１９に記載の潤滑油組成物。
【請求項２１】
アルキルヒドロキシ芳香族カルボン酸の直鎖アルキル基が、炭素原子数２０〜炭素原子数３０である請求項２０に記載の潤滑油組成物。
【請求項２２】
清浄剤組成物（ｂ）において、（ｉ）のアルキルフェノールの分枝鎖アルキル基が、炭素原子数４〜炭素原子数６０である請求項８に記載の潤滑油組成物。
【請求項２３】
アルキルフェノールの分枝鎖アルキル基が、炭素原子数６〜炭素原子数４０である請求項２２に記載の潤滑油組成物。
【請求項２４】
アルキルフェノールの分枝鎖アルキル基が、炭素原子数８〜炭素原子数２０である請求項２３に記載の潤滑油組成物。
【請求項２５】
清浄剤組成物（ｂ）において、（ｉ）のアルキルフェノールの直鎖アルキル基が、炭素原子数４〜炭素原子数６０である請求項８に記載の潤滑油組成物。
【請求項２６】
アルキルフェノールの直鎖アルキル基が、炭素原子数１２〜炭素原子数４０である請求項２５に記載の潤滑油組成物。
【請求項２７】
アルキルフェノールの直鎖アルキル基が、炭素原子数２０〜炭素原子数３０である請求項２６に記載の潤滑油組成物。
【請求項２８】
清浄剤組成物（ｂ）において、（ii）のマンニッヒ縮合物が、ホルムアルデヒドまたは炭素原子数１〜炭素原子数２０のアルデヒドと、アンモニア、低級アルキルアミン、ポリアミンおよびそれらの混合物から選ばれた窒素塩基と、アルキルフェノールとの縮合物である請求項１に記載の潤滑油組成物。
【請求項２９】
低級アルキルアミンが炭素原子数１〜炭素原子数１０であり、そしてポリアミンがアミン窒素原子数２〜アミン窒素原子数１２で、炭素原子数２〜炭素原子数４０である請求項２８に記載の潤滑油組成物。
【請求項３０】
清浄剤組成物（ｂ）、（ii）のマンニッヒ縮合物において、アルキルフェノールのアルキル基が、直鎖又は分枝鎖アルキル基またはそれらの混合物である請求項１に記載の潤滑油組成物。
【請求項３１】
マンニッヒ縮合物のアルキルフェノールのアルキル基が、分枝鎖アルキル基である請求項３０に記載の潤滑油組成物。
【請求項３２】
清浄剤組成物（ｂ）、（ii）のマンニッヒ縮合物において、アルキルフェノールの分枝鎖アルキル基が、炭素原子数４〜炭素原子数６０である請求項３０に記載の潤滑油組成物。
【請求項３３】
マンニッヒ縮合物のアルキルフェノールの分枝鎖アルキル基が、炭素原子数６〜炭素原子数４０である請求項３２に記載の潤滑油組成物。
【請求項３４】
マンニッヒ縮合物のアルキルフェノールの分枝鎖アルキル基が、炭素原子数８〜炭素原子数２０である請求項３３に記載の潤滑油組成物。
【請求項３５】
清浄剤組成物（ｂ）、（ii）のマンニッヒ縮合物において、アルキルフェノールの直鎖アルキル基が、炭素原子数４〜炭素原子数６０である請求項３０に記載の潤滑油組成物。
【請求項３６】
マンニッヒ縮合物のアルキルフェノールの直鎖アルキル基が、炭素原子数１２〜炭素原子数４０である請求項３５に記載の潤滑油組成物。
【請求項３７】
マンニッヒ縮合物のアルキルフェノールの直鎖アルキル基が、炭素原子数２０〜炭素原子数３０である請求項３６に記載の潤滑油組成物。
【請求項３８】
（ｉ）において、アルキルヒドロキシ芳香族カルボン酸が、アルキル基が分枝鎖Ｃ12アルキル基と直鎖Ｃ20−Ｃ30アルキル基との５０：５０混合物であるアルキルヒドロキシベンゼンカルボン酸である請求項１に記載の潤滑油組成物。
【請求項３９】
（ｉ）において、アルキルフェノールのアルキル基が、分枝鎖Ｃ12アルキル基と直鎖Ｃ20−Ｃ30アルキル基との５０：５０混合物である請求項３８に記載の潤滑油組成物。
【請求項４０】
（ii）において、マンニッヒ縮合物が、アルキル基が分枝鎖Ｃ12アルキル基であるアルキルフェノールとパラホルムアルデヒドとモノ−メチルアミンとの縮合物である請求項３９に記載の潤滑油組成物。
【請求項４１】
アルキルヒドロキシ芳香族カルボン酸、アルキルフェノールおよびマンニッヒ縮合物の各々における金属塩が独立に、アルカリ金属またはアルカリ土類金属である請求項１に記載の潤滑油組成物。
【請求項４２】
アルキルヒドロキシ芳香族カルボン酸、アルキルフェノールおよびマンニッヒ縮合物の各々における金属塩が、アルカリ土類金属塩である請求項４１に記載の潤滑油組成物。
【請求項４３】
アルカリ土類金属がカルシウムである請求項４２に記載の潤滑油組成物。
【請求項４４】
硫黄分が、潤滑油の全質量に基づき０．０質量％乃至０．４質量％の範囲にある請求項１に記載の潤滑油組成物。
【請求項４５】
硫黄分が、潤滑油の全質量に基づき０．０５質量％乃至０．３質量％の範囲にある請求項４４に記載の潤滑油組成物。
【請求項４６】
硫黄分が、潤滑油の全質量に基づき０．１質量％乃至０．２質量％の範囲にある請求項４５に記載の潤滑油組成物。
【請求項４７】
硫酸灰分が、潤滑油の全質量に基づき０．２質量％乃至４．０質量％の範囲にある請求項１に記載の潤滑油組成物。
【請求項４８】
硫酸灰分が、潤滑油の全質量に基づき０．５質量％乃至２．０質量％の範囲にある請求項４７に記載の潤滑油組成物。
【請求項４９】
硫酸灰分が、潤滑油の全質量に基づき０．７５質量％乃至１．２質量％の範囲にある請求項４８に記載の潤滑油組成物。
【請求項５０】
リン分が、潤滑油の全質量に基づき０．００５質量％乃至０．０６質量％の範囲にある請求項１に記載の潤滑油組成物。
【請求項５１】
リン分が、潤滑油の全質量に基づき０．０１５質量％乃至０．０５質量％の範囲にある請求項５０に記載の潤滑油組成物。
【請求項５２】
リン分が、潤滑油の全質量に基づき０．０３質量％乃至０．０４質量％の範囲にある請求項５１に記載の潤滑油組成物。
【請求項５３】
潤滑油組成物が更に、分散剤、酸化防止剤、粘度指数向上剤、腐食防止剤および消泡剤から選ばれた一種以上の潤滑油添加剤を含む請求項１に記載の潤滑油組成物。
【請求項５４】
下記の成分を含む、低排出ガス高負荷ディーゼルエンジン用の低硫黄、低硫酸灰分及び低リンの潤滑油濃縮物：
（ａ）主要量の潤滑粘度の油、
（ｂ）（ｉ）アルキルヒドロキシ芳香族カルボン酸の金属塩とアルキルフェノールの金属塩との混合物、および（ii）マンニッヒ縮合物の金属塩からなる清浄剤組成物。
【請求項５５】
下記の成分を含む低硫黄、低硫酸灰分及び低リン潤滑油組成物を用いて、低排出ガス高負荷ディーゼルエンジンを潤滑下に作動させる方法：
（ａ）主要量の潤滑粘度の油、
（ｂ）（ｉ）アルキルヒドロキシ芳香族カルボン酸の金属塩とアルキルフェノールの金属塩との混合物、および（ii）マンニッヒ縮合物の金属塩からなる清浄剤組成物。